(57)【要約】【課題】雨季などの季節を選ばず階増築を行うことができ、且つ、安価な費用で階増築を行うことができる建築物構造及びそれを用いた建築物の階増築方法を提供する。【解決手段】屋根１７と、柱（伸縮柱２０）及び壁１５から構成される屋根下部分４１とを備えた建築物において、柱（伸縮柱２０）は一階分の高さ寸法を有する。屋根１７と屋根下部４１分とをそれぞれ独立して着脱可能に結合する。柱（伸縮柱２０）は一階分の高さ寸法から少なくとも二階分の高さまで伸長可能に構成する。壁（伸縮壁６０）と屋根１７とを備えた建築物（家屋１０）において、壁（伸縮壁６０）は一階分の高さ寸法を有する。壁（伸縮壁６０）は一階分の高さ寸法から少なくとも二階分の高さまで伸長可能に構成する。【選択図】      図１
2004360213.tif 000002
【特許請求の範囲】
【請求項１】
屋根と、柱及び壁から構成される屋根下部分とを備えた建築物において、
前記柱は一階分の高さ寸法を有し、当該寸法から少なくとも二階分の高さまで伸長可能に構成されると共に、前記屋根と前記屋根下部分はそれぞれ独立して着脱可能に結合されていることを特徴とする建築物構造。
【請求項２】
屋根と、壁から構成される屋根下部分とを備えた建築物において、
前記壁は一階分の高さ寸法を有し、当該寸法から少なくとも二階分の高さまで伸長可能に構成されると共に、前記屋根と前記屋根下部分はそれぞれ独立して着脱可能に結合されていることを特徴とする建築物構造。
【請求項３】
屋根と、柱及び壁から構成される屋根下部分とを備えた建築物において、
前記柱及び壁は一階分の高さ寸法を有し、当該寸法から少なくとも二階分の高さまで伸長可能に構成されると共に、前記屋根と前記屋根下部分はそれぞれ独立して着脱可能に結合されていることを特徴とする建築物構造。
【請求項４】
前記柱及び／又は壁は、一階分の高さ寸法を有する主部材と、該主部材内に高さ方向伸縮自在に設けられた複数の内部材とを備えていることを特徴とする請求項１、請求項２又は請求項３の建築物構造。
【請求項５】
前記柱及び／又は壁を構成する各部材は複数の透孔を備え、
各透孔は各部材の高さ方向に所定の間隔を存して設けられていることを特徴とする請求項４の建築物構造。
【請求項６】
前記屋根を分割可能としたことを特徴とする請求項１、請求項２、請求項３、請求項４又は請求項５の建築物構造。
【請求項７】
前記主部材の下端を建築物の基礎に固定し、最も内側となる前記内部材の上端に前記屋根を取り付けた後、前記透孔を使用して当該柱及び／又は壁をジャッキにて前記屋根と共に押し上げ、階増築を行うことを特徴とする請求項５又は請求項６の建築物構造を用いた建築物の階増築方法。
【請求項８】
屋根と屋根下部分とを備えた建築物において、
前記屋根と前記屋根下部分に渡ってそれらをそれぞれ連結する伸長可能な連結部材を取り付け、前記屋根と前記屋根下部分とを分離した後、前記連結部材を伸長させて前記建築物の階増築を行うことを特徴とする建築物の階増築方法。
【発明の詳細な説明】
【０００１】
【発明の属する技術分野】
本発明は、柱、壁及び屋根を備えた建築物構造及びそれを用いた建築物の階増築方法に関するものである。
【０００２】
【従来の技術】
家屋を建てる場合、最初から二階、或いは、三階の家屋を建てると、一度に多額な費用が発生してしまう。そこで、従来の既存の建築物としての家屋（平屋）を二階に階増築する方法が非特許文献１に示されている。この文献の第１例として通し柱を使わない管柱だけで平屋の階増を行う所謂お神楽造り、正確には「太神楽造り」という階増築方法が示されている。お神楽造りは、現在建てられている家屋の屋根を取り壊して撤去し、平らにしてからその上に柱を立てて二階を載せる。そして、家屋の土台や二階の床を受ける一階の梁組みなど階増築したそれなりの補強が行われる。このお神楽造りの階増築は、屋根を取り壊して撤去してしまうため、住みながら階増築工事を行うのは無理であった。
【０００３】
また、平屋を二階に階増築する第２例として、平屋周囲の所定箇所に独立した二階用の基礎を設け、そこに通し柱を立てて、独立した二階の床組みを造る。この場合、屋根を一時的に取り外し、取り外した屋根は必要に応じて完全養生する。そして、二階の屋根壁を仕上げた後、ゆっくり内外装工事を行う。この場合も、屋根が一時的に取り外されるので、住みながらの階増築工事には無理があった。
【０００４】
【非特許文献１】
文献名＝快適住まい百科▲１▼、上手な増改築、
著作者＝小林岩雄、
出版社名＝株式会社彰国社参照。
【０００５】
【発明が解決しようとする課題】
しかしながら、家屋の階増築工期中に例えば雨が降った場合などは屋根を取り壊してから取り付けるまでの期間が長期間或いは一時的な短期間であっても降った雨が浸入し家屋内が濡れてしまうため、家屋の階増築工期中はどうしても一時的に引越をしなくてはならない。このため、階増築を行う家屋の居住者に引越費用の負担が発生してしまう。また、引越をした場合郵便物などは引越をした場所から階増築を行っている家屋の場所まで取りに行かなくてはならないという問題もあった。
【０００６】
また、屋根を取り壊してしまうと、取り壊した屋根は産業廃棄物となってしまう。このため、地球環境資源が無駄になってしまうという問題があった。
【０００７】
本発明は、係る従来技術の課題を解決するために成されたものであり、雨季などの季節を選ばず階増築を行うことができ、且つ、安価な費用で階増築を行うことができる建築物構造及びそれを用いた建築物の階増築方法を提供することを目的とする。
【０００８】
【課題を解決するための手段】
即ち、本発明の建築物構造は、屋根と、柱及び壁から構成される屋根下部分とを備えた建築物において、柱は一階分の高さ寸法を有し、当該寸法から少なくとも二階分の高さまで伸長可能に構成されると共に、屋根と屋根下部分はそれぞれ独立して着脱可能に結合されていることを特徴とする。
【０００９】
また、請求項２の発明の建築物構造は、屋根と、壁から構成される屋根下部分とを備えた建築物において、壁は一階分の高さ寸法を有し、当該寸法から少なくとも二階分の高さまで伸長可能に構成されると共に、屋根と屋根下部分はそれぞれ独立して着脱可能に結合されていることを特徴とする。
【００１０】
また、請求項３の発明の建築物構造は、屋根と、柱及び壁から構成される屋根下部分とを備えた建築物において、柱及び壁は一階分の高さ寸法を有し、当該寸法から少なくとも二階分の高さまで伸長可能に構成されると共に、屋根と屋根下部分はそれぞれ独立して着脱可能に結合されていることを特徴とする。
【００１１】
また、請求項４の発明の建築物構造は、請求項１、請求項２又は請求項３において、柱及び／又は壁は、一階分の高さ寸法を有する主部材と、該主部材内に高さ方向伸縮自在に設けられた複数の内部材とを備えていることを特徴とする。
【００１２】
また、請求項５の発明の建築物構造は、請求項４に加えて、柱及び／又は壁を構成する各部材は複数の透孔を備え、各透孔は各部材の高さ方向に所定の間隔を存して設けられていることを特徴とする。
【００１３】
また、請求項６の発明の建築物構造は、請求項１、請求項２、請求項３、請求項４又は請求項５に加えて、屋根を分割可能としたことを特徴とする。
【００１４】
また、請求項７の発明の建築物の階増築方法は、請求項５又は請求項６において、主部材の下端を建築物の基礎に固定し、最も内側となる内部材の上端に屋根を取り付けた後、透孔を使用して当該柱及び／又は壁をジャッキにて屋根と共に押し上げ、階増築を行うことを特徴とする。
【００１５】
また、請求項８の発明の建築物の階増築方法は、屋根と屋根下部分とを備えた建築物において、屋根と屋根下部分に渡ってそれらをそれぞれ連結する伸長可能な連結部材を取り付け、屋根と屋根下部分とを分離した後、連結部材を伸長させて建築物の階増築を行うことを特徴とする。
【００１６】
【発明の実施の形態】
次に、図面に基づき本発明の実施形態を詳述する。図１は本発明の建築物の斜視図、図２は本発明の建築物を構成する伸縮柱２０の斜視図、図３は屋根１７と屋根下部分４１を分離した建築物の斜視図をそれぞれ示している。建築物構造は、建築物としての家屋１０、特に人が居住する例えば人が居住する家屋１０を平屋から二階、三階と階増築を行うもので、家屋１０は一階分の高さ寸法を有する伸縮柱２０（本発明の柱に相当）と壁１５とから構成される屋根下部分４１と、該屋根下部分４１から分離可能に結合された屋根１７とから構成されている。尚、１２は玄関、１４は基礎、１６は窓である。
【００１７】
伸縮柱２０は、主部材としての外柱２２と複数の内部材（中柱２４と芯柱２６）とから構成されている。これらの外柱２２、中柱２４、芯柱２６は、一辺が所定寸法の縦長略４角筒にて構成されると共に、所定の肉厚の鉄などの金属にて構成されている。そして、外柱２２内に中柱２４、中柱２４内に芯柱２６が上下方向に伸縮自在に内蔵されている。これらの外柱２２と中柱２４と芯柱２６はそれぞれ家屋１０の三階分の重量を支えられる強度（この場合、強風や耐震などを考慮した強度）を有している。
【００１８】
中柱２４は、外柱２２の内側周囲寸法と僅か隙間を存した外形の縦長略４角筒を呈しており、これにより中柱２４は外柱２２内を上下方向に移動可能に構成されている。また、芯柱２６は、中柱２４の内側周囲寸法と僅か隙間を存した外形の縦長略４角筒を呈しており、これにより芯柱２６は中柱２４内を上下方向に移動可能に構成されている。尚、２３は外柱２２を家屋１０の基礎１４に固定するための固定片、２３Ａはネジ穴である。
【００１９】
即ち、伸縮柱２０は、外柱２２の固定片２３が基礎１４に固定された後（この場合、基礎１４には予め図示しないボルトが立設され、そのボルトが外柱２２の固定片２３に設けられたネジ穴２３Ａに挿入されナットで固定される）、中柱２４を上方に伸長させた場合、中柱２４の部分が二階部分の柱となり、更に中柱２４内の芯柱２６を上方に伸長させた場合、芯柱２６が三階部分の柱となるように構成されている。
【００２０】
該中柱２４の側面には所定の寸法径の透孔２４Ａ（この場合円形或いは矩形）が設けられており、この透孔２４Ａは中柱２４の周囲４面に設けられると共に、中柱２４の上下延在方向に所定の間隔で複数設けられている。透孔２４Ａは、外柱２２内に挿入された中柱２４を上方に伸長する際、図示しないジャッキアップ用の支持棒を挿入するためのもので、中柱２４の一面外部と内部とを貫通して設けられると共に、中柱２４の対向する面の透孔２４Ａはそれぞれ対向した位置に設けられている。また、中柱２４の隣接する面の透孔２４Ａは上下方向の略中間に位置して設けられている。尚、芯柱２６も中柱２４同様に側面に透孔２６Ａが設けられている。
【００２１】
そして、このような伸縮柱２０が用いられて、まず最初に平屋の家屋１０が建てられる。このとき屋根下部分４１を独立で完成させ、その上に屋根を独立して完成させた状態で、屋根１７と屋根下部分４１が図示しないボルトによって強固に固定される。即ち、家屋１０を平屋から二階、三階と階増築するとき伸縮柱２０を伸長させて屋根１０を押し上げ階増を行うが、屋根１０を押し上げる際屋根１０はそのままの状態で分解することなく押し上げられると共に、屋根下部分４１もそのままの状態で柱や壁が分解することなく屋根１０を押し上げられるように、屋根１７と屋根下部分４１はそれぞれ独立して建てられ結合される。
【００２２】
この場合、建てられた平屋の家屋１０の伸縮柱２０は伸長せずに、外柱２２の固定片２３に設けられたネジ穴２３Ａに基礎１４に立設された図示しないボルトが挿入されてナット（図示せず）で固定される。また、伸縮柱２０の芯柱２６の上端は屋根１７の合掌を支えている梁４４に図示しないボルトで固定される。尚、外柱２２の上縁部には、各外柱２２間（この場合、壁１５や窓などの上縁部）に渡って補助梁４５が設けられており、これらの補助梁４５によって屋根がなくても柱や壁１５などが分解しないように構成している（図３）。また、図３では家屋１０の４隅に伸縮柱２０を設けているが、伸縮柱２０は４隅以外必要箇所に設けても差し支えない。また、図３の４２は合掌で屋根１７は骨組みのみ図示し、屋根下部分４１は壁１５、窓１６及び玄関１２などは図示していない。
【００２３】
次に、伸縮柱２０を用いて建てた平屋の家屋１０を二階に階増築する方法を説明する。尚、中柱２４と芯柱２６は予め各透孔２４Ａと各透孔２６Ａとを一致させた状態で図示しないボルトによって固定されているものとする。また、屋根１７と壁１５は予め離間できるような構造に構成されているものとする。また、屋根１７を押し上げるジャッキの押し上げ距離は、伸縮柱２０の長さ寸法の数分の一乃至数十分の一のもの（この場合、各透孔２４Ａ、２６Ａ間の１．５倍乃至２倍程度の距離）が用いられるものとする。また、屋根１７を水平に維持できず変形が生じるような場合には必要に応じて屋根１７下に補強材料が設けられて変形が防止される。
【００２４】
そして、芯柱２６の上端が固定された梁４４と地面間、詳しくは各芯柱２６近傍の梁４４と地面間に予め用意した図示しないジャッキが挿入され、このジャッキによって各芯柱２６が押し上げられて伸縮柱２０は所定距離伸長される。この場合、屋根１７は壊さず屋根１７を略水平に維持した状態で各芯柱２６近傍がジャッキアップされる。これによって、屋根１７は壁１５上方に離間し所定距離押し上げられる。
【００２５】
そして、屋根１７が所定距離押し上げられたならば、外柱２２より上昇した中柱２４（芯柱２６）の透孔２４Ａに支持棒（図示せず）が挿入される。この場合、支持棒を中柱２４の両側に所定寸法延在させる。そして、支持棒と地面間にジャッキが挿入され、このジャッキにより屋根１７が所定距離押し上げられる。このときも、屋根１７が略水平に維持された状態で各芯柱２６近傍がジャッキアップされる。これによって、屋根１７は壁１５から上方に離間し更に所定距離押し上げられる。
【００２６】
そして、屋根１７が所定距離押し上げられたならば、支持棒が挿入された中柱２４の直交する面の透孔２４Ａに支持棒が挿入される。この場合、最初に支持棒が挿入された中柱２４の透孔２４Ａのすぐ下側となる透孔２４Ａに支持棒が挿入されると共に、支持棒を中柱２４の両側に所定寸法延在させる。そして、支持棒と地面間にジャッキが挿入され、中柱２４が所定距離押し上げられ、中柱２４の直交する面の透孔２４Ａに最初に挿入された支持棒が外される。これが繰り返されて中柱２４が所定距離伸長すると、平屋の壁１５の上に二階部分が形成される（図４）。そして、外柱２２と中柱２４とが図示しないボルトで固定された後、図示しない間柱、床、階段或いは天井及び階増築したそれなりの補強が行われて壁や窓及び内外装などが仕上げられれば家屋１０は平屋から二階への階増築が完成する（図５）。尚、この場合も屋根１７と二階部分（屋根下部分４１）とは図３同様分離可能に結合されている。
【００２７】
次に、伸縮柱２０を用いて二階に階増築した家屋１０を三階に階増築する方法を説明する。尚、屋根１７と二階の壁１５は予め離間できるような構造にしてあるものとする。まず、中柱２４と芯柱２６とを固定しているボルトを外し、芯柱２６の上端が固定された梁４４と地面間、詳しくは各芯柱２６近傍の梁４４と地面間にジャッキが挿入される。このジャッキによって各芯柱２６が押し上げられて伸縮柱２０は所定距離伸長される。このとき、屋根１７が略水平に維持された状態で各芯柱２６近傍がジャッキアップされる。これによって、屋根１７は壁１５から上方に離間して所定距離押し上げられる。
【００２８】
そして、屋根１７が所定距離押し上げられたならば、中柱２４より伸長させた芯柱２６の透孔２６Ａに支持棒が挿入される。この場合、支持棒を芯柱２６の両側に所定寸法延在させる。そして、支持棒と地面間にジャッキが挿入され、このジャッキによって各芯柱２６が押し上げられて伸縮柱２０は所定距離伸長する。このときも、屋根１７が略水平に維持された状態で各芯柱２６近傍がジャッキアップされる。これによって、屋根１７は壁１５から上方に離間して更に所定距離押し上げられる。
【００２９】
そして、屋根１７が所定距離押し上げられたならば、支持棒が挿入された芯柱２６の直交する面の透孔２６Ａに支持棒が挿入され、この支持棒も芯柱２６の両側に所定寸法延在させる。そして、支持棒と地面間にジャッキが挿入され、芯柱２６が所定距離押し上げられた後、芯柱２６の透孔２６Ａに最初に挿入された支持棒が抜かれる。これが繰り返されて芯柱２６が所定距離上昇すると、二階の上方に三階部分が形成される（図６）。そして、中柱２４と芯柱２６とが図示しないボルトで固定された後、図示しない間柱、床、階段或いは天井及び階増築したそれなりの補強が行われて壁や窓及び内外装などが仕上げられれば家屋１０は二階から三階への階増築が完成する（図７）。
【００３０】
次に、図８、図９は二階建ての家屋１０の下側に階増築した三階の家屋１０を示している。この場合、伸縮柱２０は前述同様外柱２２内に中柱２４、中柱２４内に芯柱２６がそれぞれ上下方向に伸縮自在に内蔵されている。尚、１８は階段である。この外柱２２の下端内には中柱２４同等の４角筒形状の支持枠２５が溶接固定されている。この支持枠２５は、外柱２２の下端から所定寸法上方に延在しており上縁には傾斜部２５Ａが形成されている（図１０）。
【００３１】
傾斜部２５Ａは上方を拡開する方向に傾斜しており、この傾斜部２５Ａは中柱２４内の芯柱２６を下方に伸長（図１０矢印）させる際支持枠２５上縁に芯柱２６の下端角部が引っ掛からないように構成されている。この場合、外柱２２内下方に支持枠２５を設けているので中柱２４は下方向に伸縮せず上方向にだけ伸長すると共に芯柱２６は上下方向に伸縮する。また、中柱２４を上方に伸長させ、芯柱２６を下方に伸長させた際、外柱２２内下方に設けた支持枠２５は芯柱２６の横方向のガタを防止する（図１１）。
【００３２】
また、芯柱２６には固定片２６Ｂが設けられておりこの固定片２６Ｂは芯柱２６上方に所定寸法突出形成されている（図１２）。この固定片２６Ｂには着脱自在に保持具２７が固定されている（図１３、図１４）。この保持具２７は図示しないが屋根１７の合掌を支えている梁４４にボルトで固定される。尚、２６Ｃはボルト穴、２７Ａは固定穴である。また、図１２、図１３、図１４では固定穴２６Ｂを図示せず。
【００３３】
そして、このような伸縮柱２０が用いられて建てられた二階を三階にする場合、詳しくは二階の下方に階増して三階に階増築する方法を説明する。即ち、二階建ての家屋１０を三階にする場合、まず中柱２４と屋根１７の合掌を支えている梁４４をボルトで固定する。そして、保持具２７を固定しているボルト２７Ｂを外し、芯柱２６を外柱２２内下部まで降下させる。このとき、外柱２２内下部の支持枠２５には傾斜部２５Ａを設けているので、支持枠２５上端にに引っ掛かることなく芯柱２６は支持枠２５内を外柱２２内下部まで降下する。
【００３４】
次に、図示しないが外柱２２を基礎に固定しているボルトを外し、二階の家屋１０下側の梁（二階梁）と地面間にジャッキが挿入され、このジャッキによって二階の家屋１０は押し上げられて伸縮柱２０は所定距離伸長する。この場合、芯柱２６は外柱２２柱内を下方に自重落下させることにより伸縮柱２０は所定距離伸長する。このとき、家屋１０の二階、三階部分は壊さず略水平に維持された状態でジャッキアップされる。これによって、二階の家屋１０は基礎から離間して所定距離押し上げられる。
【００３５】
そして、二階の家屋１０が所定距離押し上げられたならば、芯柱２６の下端を図示しないボルトで基礎に固定する。二階の家屋１０は更にジャッキで押し上げられた後、二階の家屋１０下側に一階部分が階増築されて三階となる。次に、芯柱２６の上端と外柱２２とが図示しないボルトで固定される。そして、二階の家屋１０を三階に階増築した一階部分はそのまま（この場合地面を舗装しても差し支えない）駐車場或いは内外装の工事を行えば店舗や通常の部屋として利用することができる（図９）。尚、５０は店舗部であり、５２は引き戸式のガラス戸、５４は庇である。
【００３６】
このように、予め用意した伸縮柱２０を用いて屋根１７と屋根下部分４１とを分離可能に接合して平屋の家屋４０を建て、この平屋を二階、三階にする場合には、予め用意したジャッキにて伸縮柱２０を伸長させて屋根１７を壊さず押し上げて二階、或いは、三階に階増築できるので、将来の出来事（子供部屋或いは書斎などの階増築）に応じて平屋の家屋１０を簡単に階増築することができる。この場合、資金に余裕ができたときに二階、三階と増階築することができる。これにより、最初から二階、三階の家屋を建てる場合に対して、少ない費用で平屋の家屋４０を建てることができる。
【００３７】
また、屋根１７と屋根下部分４１とをそれぞれ分離可能に接合しているので、屋根１７を壊さずに上方に押し上げて階増築を行うことができる。これにより、安価な費用で改増築を行うことが可能になるとと共に、階増築部分は伸縮柱２０と壁以外の居住空間に制約されること無く居住者の仕様に応じて自由な間取りを設けることができる。また、階増築工期中に例えば雨が降った場合などでも屋根１７を壊さずに階増築を行えるので家の中が雨で濡れてしまうなどの不都合を防止することが可能になる。
【００３８】
また、屋根１７を壊さずに二階、或いは、三階に階増築しているので、家屋４０の解体量を少なくすることができる。これによって、階増築工期を短縮することができ、然も、住ながらの階増築を行うことが可能となる。また、家屋１０の階増築中でも引越、或いは住所変更などをしなくても済むので、引越費用の削減を行うことができ、郵便物なども階増築場所に取りに行く手間を省くことができる。
【００３９】
また、屋根１７を壊さず階増築を行っているので、屋根１７の取り壊しによる産業廃棄物の発生を抑えることができる。これにより、資源の無駄を防止することが可能となるので、地球環境資源の節約にも貢献することができるようになる。また、屋根１７を壊さず階増築を行っているので、屋根１７を取り壊す手間を省くことができ、屋根１７の取り壊し費用も削減することが可能となる。特に、最初平屋を建て、次に期間を開けて二階、次に三階と階増築することができるので、一度に多額な費用負担を抑えることができるようになる。
【００４０】
次に、図１５に伸縮柱３０を用いた建築物（新築、或いは、既に建てられている家屋４０）の階増築方法を示している。この場合伸縮柱３０（本発明の連結部材に相当）は、伸長させた際一階分の階増築を行える長さ寸法に構成されている。即ち、伸縮柱３０は、前記伸縮柱２０の外柱２２を短くして固定片２３を削除した外柱３２と、中柱２４を短くした中柱３４と、芯柱２６を短くした芯柱３６とから構成されており、他は前述の伸縮柱２０同様に構成されている（図１８）。尚、４８は伸長して取り付けた伸縮柱３０を垂直にするためのスペーサである。また、図１５で屋根１７は骨組みのみ図示している。
【００４１】
そして、このように構成された伸縮柱３０を用いて家屋４０の階増築を行う場合（この場合、既に建てられている平屋の家屋４０を二階に階増築する場合）、屋根１７の合掌４２を支えている梁４４に伸縮柱３０を構成する芯柱３６の上端をボルト３８で固定し、外柱３２の下端を梁４４を支えている柱４６にボルト３８で固定する（図１６）。この伸縮柱３０は家屋４０の所定箇所に取り付け固定される。
【００４２】
次に、伸縮柱３０が固定された芯柱３６と外柱３２間の既に建てられている平屋の柱４６を切断する。即ち、固定された芯柱３６と外柱３２間で梁４４を支えている柱４６の上端（この場合、柱が梁４４と接している部分）を切断する（図１７）。更に、屋根１７の梁４４を支えている他の柱や屋根１７を支えている壁など、屋根１７との接触部分全てが切断され分離される。そして、前述同様中柱３４或いは芯柱３６に設けた透孔３４Ａ、３６Ａに支持棒が挿入されてジャッキアップされる。これによって、伸縮柱３０は一階分伸長する（図１８）。
【００４３】
そして、伸縮柱３０が伸長されると家屋４０の屋根１７は所定距離押し上げられる。屋根１７が押し上げられたならば図示しない間柱、床、階段或いは天井及び階増築したそれなりの補強が行われて壁や窓及び内外装などが仕上げられれば家屋４０は平屋から二階への階増築が完成する。即ち、屋根１７と屋根下部分４１に渡ってそれらをそれぞれ連結する伸長可能な伸縮柱３０（連結部材）を取り付け、屋根１７と屋根下部分４１を分離した後、伸縮柱３０を伸長させて屋根１７を押し上げ、屋根下部分４１と屋根１７との間に階増築を行う。尚、上記では平屋を二階に階増築する方法を述べたが、二階を三階に階増築する場合においても同様に階増築を行うことができるのは言うまでもない。
【００４４】
次に、図１９には本発明の他の実施例の家屋１０の建築物構造を示している。この場合、前記家屋１０に用いた伸縮柱２０は使用せず伸縮壁６０（本発明の壁に相当）を使用している。即ち、家屋１０は、格別な柱を使用せずに基礎１４上に伸縮壁６０が立設固定され、その上に屋根１７が取り付けられた平屋の家屋１０が建てられている。この場合も、前述同様屋根１７と屋根下部分４１はそれぞれ独立して建てられており、屋根１７と屋根下部分４１とは分離可能に接合されている。
【００４５】
該伸縮壁６０は、家屋１０の一階分の高さ寸法を有しており、この伸縮壁６０は、主部材としての外壁６２と複数の内部材（中壁６４と芯壁６６）とから構成されている（図２０）。伸縮壁６０は、半間分の幅の縦長略矩形状を呈しており、外壁６２と中壁６４と芯壁６６は、所定の厚さ、所定の強度の壁パネルにて構成されている。外壁６２、中壁６４、芯壁６６はそれぞれ両側に鉄などの強度が強い金属製の側柱６２Ｂ、６４Ｂ、６６Ｂが固定されている。
【００４６】
これらの側柱６２Ｂ、６４ＢはＬ字状に形成されている（図２１）。外壁６２両側の側柱６２Ｂは中壁６４を抱え込むように設けられ、中壁６４両側の側柱６４Ｂは芯壁６６を抱え込むように設けられている。尚、芯壁６６の両側に設けた側柱６６Ｂは縦長略矩形状を呈している。これによって、伸縮壁６０を伸長させた際、外壁６２に対して中壁６４、中壁６４に対して芯壁６６が倒れないように構成している。
【００４７】
そして、伸縮壁６０は、外壁６２の内側に中壁６４、中壁６４の内側に芯壁６６が組み合わされる。即ち、伸縮壁６０は、外壁６２の側柱６２Ｂ内側に中壁６４を抱え込むように、中壁６４の側柱６４Ｂ内側に芯壁６６を抱え込むように組み合わされて、上下方向に伸縮自在に構成されている（図２０矢印）。
【００４８】
これらの外壁６２と中壁６４と芯壁６６はそれぞれ家屋１０の三階分の重量を支えられる強度（この場合、強風や耐震などを考慮した強度）を有している。尚、６２Ａ、６４Ａ、６６Ａは図示しないが前述同様ジャッキアップするための支持棒を挿入するための透孔で、それぞれ外壁６２と中壁６４と芯壁６６の両側面（一面側は図示せず）に設けられている。
【００４９】
そして、このような伸縮壁６０が用いられてまず最初に平屋の家屋１０が建てられる。このとき屋根下部分４１を独立で完成させ、その上に屋根を独立で完成させた状態で、屋根１７と屋根下部分４１が図示しないボルトによって強固に固定される。即ち、家屋１０を平屋から二階、三階と階増築するとき伸縮壁６０を伸長させて屋根１０を押し上げ階増を行うが、屋根１０を押し上げる際屋根１０はそのままの状態で分解することなく押し上げられると共に、屋根下部分４１もそのままの状態で柱や壁が分解することなく屋根１０を押し上げられるように、屋根１７と屋根下部分４１はそれぞれ独立して建てられ結合される。
【００５０】
そして、建てられた家屋１０は前述同様透孔６４Ａに支持棒（図示せず）が挿入され、この支持棒と地面間に挿入された図示しないジャッキにより中壁６４が押し上げられることにより平屋から二階に階増築される。また、階増築された二階を三階に階増築する場合も前述同様透孔６６Ａに支持棒が挿入され、この支持棒と地面間に挿入された図示しないジャッキにより芯壁６６が押し上げられることにより二階から三階に階増築される。
【００５１】
そして、二階及び三階に階増築された家屋１０は外壁６２と中壁６４、中壁６４と芯壁６６が図示しないボルトで固定された後、二階及び三階に伸縮壁６０以外の壁や窓が設けられ、図示しない間柱、床、階段或いは天井及び階増築したそれなりの補強が行われて壁や窓及び内外装などが仕上げられれば家屋１０は平屋から二階或いは二階からから三階への階増築が完成する。このように、伸縮壁６０を用いて平屋の家屋１０を建てているので、前述の伸縮柱２０（図２）を用いた家屋１０同様の効果を得ることができる。
【００５２】
前記家屋１０の屋根１７は、第１の屋根１７Ａとこの第１の屋根１７Ａ周囲に設けられた第２の屋根１７Ｂとからなる切妻屋根にて構成されている（図２２、図２３）。該第１の屋根１７Ａと第２の屋根１７Ｂは分割可能に構成され、第１の屋根１７Ａは伸縮柱２０が設けられ、第２の屋根１７Ｂは通常の伸縮しない柱４６が設けられている。即ち、第１の屋根１７Ａには将来二階、三階と階増築できる箇所に伸縮柱２０が設けられ、第２の屋根１７Ｂには二階、三階と階増築しない箇所に伸縮しない柱４６が設けられている。
【００５３】
そして、家屋１０が建てられた時点で屋根１７は、第１の屋根１７Ａは第２の屋根１７Ｂの上面に所定寸法延在して接合されると共に、第１の屋根１７Ａと第２の屋根１７Ｂとの接合箇所は密着している。尚、第１の屋根１７Ａと第２の屋根１７Ｂとの接合部分は雨水や風が家屋１０内部に入り込まないよう防水処理されている。また、第２の屋根１７Ｂを第１の屋根１７Ａ周囲に設けているが、第２の屋根１７Ｂは第１の屋根１７Ａの周囲に限らず、屋根１７のどちらか１側の所定範囲を分割可能に構成しても差し支えない。この場合、二階、三階と階増築する側の屋根１７Ａには伸縮柱２０が設けられ、階増築しない側の屋根１７Ｂには伸縮しない通常の柱４６が設けられる。
【００５４】
そして、前述同様伸縮柱２０が伸長され、平屋から二階に階増築される。この場合、伸縮柱２０が伸長され第１の屋根１７Ａ部分だけが押し上げられる。これにより、平屋が二階に階増築され、第２の屋根１７Ｂは一階部分に残る（図２４白抜き矢印、図２５）。平屋を二階に階増築した後、二階の屋根１７（第１の屋根１７Ａ）の周囲に所定幅の側屋根１７Ｃを追加して取り付け、第２の屋根１７Ｂと家屋１０との接続部分の防水処理が行われる。
【００５５】
そして、図示しない間柱、床、階段或いは天井及び階増築したそれなりの補強が行われて壁や窓及び内外装などが仕上げられれば家屋１０は平屋から二階への階増築が完成する（図２６）。尚、二階を三階に階増築する場合はそのまま伸縮柱２０を伸長させて間柱、床、階段或いは天井及び階増築したそれなりの補強を行えば良い。
【００５６】
このように、屋根１７を分割可能に構成しているので、平屋を二階或いは三階に階増築する場合に、階増築していない一階部分の第２の屋根１７Ｂの改築が不要となる。これにより、二階或いは三階への階増築費用を低減させることができる。また、階増築していない一階部分は改築が不要となるので、階増築工期を短縮することができる。尚、屋根１７の分割は寄せむねに限らず、切妻、入母屋、ろく（陸）屋根、越屋根、方形、差掛、しころ（錣）等の屋根を分割可能に構成しても差し支えない。また、伸縮壁６０の場合も同様に分割可能な屋根１７を用いれば同様の効果を得ることができる。
【００５７】
尚、実施例では、伸縮柱２０を用いた家屋１０の階増築例と、伸縮壁６０を用いた家屋１０の階増築例とを別々に説明したが、平屋の家屋１０に伸縮柱２０と伸縮壁６０の両方を使用して家屋１０の階増築を行うようにしても差し支えない。この場合、伸縮柱２０と伸縮壁６０の両方で階増築した家屋１０を支えられる強度があれば良い。
【００５８】
また、伸縮柱２０は、外柱２２内に中柱２４と芯柱２６とを設け平屋を二階或いは三階に階増築したが伸縮柱２０はこれに限らず、外柱２２内に中柱２４だけを設け平屋を二階に階増築するようにしても差し支えない。この場合、伸縮柱２０を廉価で生産できるので、最初に建てる平屋のコストを低減させることができる。また、伸縮壁６０は、外壁６２内に中壁６４と芯壁６６とを設け平屋を２階或いは３階に階増築したが伸縮壁６０はこれに限らず、外壁６２内に中壁６４だけを設け平屋を２階に階増築するようにしても差し支えない。この場合も、伸縮壁６０を廉価で生産できるので、最初に建てる平屋のコストを低減させることができる。
【００５９】
また、外柱２２を一階分の長さ寸法に構成したが、外柱２２を二階分の長さ寸法に構成し内部に一階分の長さ寸法の中柱２４を設け、最初に二階の家屋を建てるようにしても差し支えない。これにより、後日三階に階増築することができるので、最初から三階の家屋を建てる場合に対して、少ない費用で二階の家屋４０を建てることができる。
【００６０】
また、伸縮柱２０を用いた家屋１０の屋根１７を入母屋で説明したが、屋根は入母屋に限らず寄せむね、切妻、ろく（陸）屋根、越屋根、方形、差掛、しころ（錣）等の屋根でも伸縮柱２０を用いて平屋を建てれば二階及び三階を階増築できることは言うまでもない。
また、伸縮柱２０を用いた家屋１０の屋根１７を切妻で説明したが、屋根は切妻に限らず寄せむね、入母屋、ろく（陸）屋根、越屋根、方形、差掛、しころ（錣）等の屋根でも伸縮柱２０を用いて平屋を建てれば二階及び三階を階増築できることは言うまでもない。
【００６１】
更に、建築物構造を人が居住する家屋１０で説明したが、建築物は人が居住する家屋１０に限らず、事務所や作業場などに適用しても本発明は有効である。
【００６２】
【発明の効果】
以上詳述した如く本発明によれば、主部材の下端を建築物の基礎に固定し、最も内側となる内部材の上端に屋根を取り付けた後、透孔を使用して当該柱及び／又は壁をジャッキにて屋根と共に押し上げ、階増築を行うので、例えば、子供部屋の増築或いは書斎の増築など将来の出来事に応じて建築物を簡単に階増築することができる。また、屋根と屋根下部分とをそれぞれ分離可能に結合しているので、屋根を壊さずに上方に押し上げて階増築を行うことができる。これにより、安価な費用で改増築を行うことが可能になると共に、階増築部分は柱と壁以外の居住空間に制約されること無く居住者の仕様に応じて自由な間取りを設けることができる。特に、階増築工期中に例えば雨が降った場合などでも家の中が雨で濡れてしまうなどの不都合を防止することが可能になると共に、好みに合った間取りの階増築を行うことが可能になる。従って、雨期などの季節を選ばず好適な階増築を行うことができるようになるものである。
【００６３】
また、屋根を壊さずに二階、或いは、三階に階増築できるので、建築物の解体量を少なくすることができる。これにより、階増築工期を短縮することができ、然も、住ながらの階増築を行うことが可能となる。また、建築物の階増築中でも引越、或いは住所変更などをしなくて済むので、引越費用を削減することができる。従って、郵便物などを階増築場所に取りに行く手間を省くことができるようになり、建築物の階増築構造の利便性を大幅に向上することができるようになるものである。
【００６４】
特に、屋根を壊していないので、屋根を取り壊す手間を省くことができて、屋根の取り壊し費用を削減することが可能になると共に、屋根の取り壊しによる産業廃棄物の発生を抑えることができて、資源の無駄を防止することが可能となる。従って、地球環境資源の節約にも貢献することができるようになるものである。
【００６５】
また、最初平屋を建て、次に期間を開けて二階、次に三階と階増築することができるので、一度に多額な費用の負担を抑えることができる。これにより、好適な建築物の階増築構造を提供することができるようになるものである。
【００６６】
また、屋根を分割可能に構成しているので、平屋を二階或いは三階に階増築した場合に、階増築していない一階部分の改築が不要となる。これにより、二階或いは三階への階増築費用を低減させることができる。また、階増築していない一階部分の改築が不要となるので、階増築工期を短縮することができる。従って、好適な建築物の階増築構造を提供することができるようになるものである。
【００６７】
また、屋根と屋根下部分に渡ってそれらをそれぞれ連結する伸長可能な連結部材を取り付け、屋根と屋根下部分を分離した後、連結部材を伸長させて建築物の階増築を行うので、例えば新築、或いは、既に建てられている建築物の屋根と屋根下部分との間に階増築することができる。これにより、屋根を壊さず階増築を行うことが可能となる。従って、既に建てられている建築物の階増築工期中に雨が降った場合などでも家の中が雨で濡れてしまうなどの不都合を防止することが可能になるので、雨期などの季節を選ばず好適な階増築を行うことができるようになるものである。
【図面の簡単な説明】
【図１】本発明の建築物の斜視図である。
【図２】本発明の建築物を構成する伸縮柱の斜視図である。
【図３】屋根と屋根下部分を分離した建築物の斜視図である。
【図４】伸縮柱を伸長させて平屋の屋根を上方に押し上げた状態の家屋（二階）の斜視図である。
【図５】同図４の伸縮柱周囲に壁を設け完成させた家屋（二階）の斜視図である。
【図６】伸縮柱を伸長させて二階の屋根を上方に押し上げた状態の家屋（三階）の斜視図である。
【図７】同図６の伸縮柱周囲に壁を設けて完成させた家屋（三階）の斜視図である。
【図８】伸縮柱を下方に伸長させて二階から三階に階増築した家屋（三階）の斜視図である。
【図９】同図８の家屋（三階）の一階部分に店舗を設けた建築物の斜視図である。
【図１０】同図８の伸縮柱の縦断側面図である。
【図１１】同図８の伸縮柱の斜視図である。
【図１２】伸縮柱を構成する芯柱の分解斜視図である。
【図１３】上部に保持具を保持した芯柱の斜視図である。
【図１４】同図１３の芯柱を内部に挿入した中柱の斜視図である。
【図１５】伸縮柱を取り付けた既存の平屋の斜視図である。
【図１６】柱の上部（屋根の合掌を支えている梁近傍）に伸縮柱を取り付けた状態を示す図である。
【図１７】同図１６の側面図である。
【図１８】同図１６の伸縮柱を伸長させた状態を示す図である。
【図１９】本発明の階増築構造を具備した建築物（伸縮壁を使用した家屋）の斜視図である。
【図２０】本発明の建築物の階増築構造を構成する伸縮壁の斜視図である。
【図２１】同図２０の伸縮壁の平面図である。
【図２２】分割可能な屋根を用いた家屋の斜視図である。
【図２３】同図２１の家屋の屋根の平面図である。
【図２４】屋根を分割して押し上げ二階を階増築した家屋の側面図である。
【図２５】同図２４の家屋の斜視図である。
【図２６】同図２３の分割した二階の屋根先端に側屋根を設けた家屋の側面図である。
【符号の説明】
１０  家屋
１４  基礎
１５  壁
１６  窓
１７  屋根
１７Ａ  第１の屋根
１７Ｂ  第２の屋根
１７Ｃ  側屋根
２０  伸縮柱
２２  外柱
２３  固定片
２４  中柱
２４Ａ  透孔
２５  支持枠
２５Ａ  傾斜部
２６  芯柱
２６Ａ  透孔
４４  梁
４５  補助梁
５０  店舗部
６０  伸縮壁
６２  外壁
６２Ａ  透孔
６４  中壁
６４Ａ  透孔
６６  内壁
６６Ａ  透孔
【図１】
2004360213.tif 000003
【図２】
2004360213.tif 000004
【図３】
2004360213.tif 000005
【図４】
2004360213.tif 000006
【図５】
2004360213.tif 000007
【図６】
2004360213.tif 000008
【図７】
2004360213.tif 000009
【図８】
2004360213.tif 000010
【図９】
2004360213.tif 000011
【図１０】
2004360213.tif 000012
【図１１】
2004360213.tif 000013
【図１２】
2004360213.tif 000014
【図１３】
2004360213.tif 000015
【図１４】
2004360213.tif 000016
【図１５】
2004360213.tif 000017
【図１６】
2004360213.tif 000018
【図１７】
2004360213.tif 000019
【図１８】
2004360213.tif 000020
【図１９】
2004360213.tif 000021
【図２０】
2004360213.tif 000022
【図２１】
2004360213.tif 000023
【図２２】
2004360213.tif 000024
【図２３】
2004360213.tif 000025
【図２４】
2004360213.tif 000026
【図２５】
2004360213.tif 000027
【図２６】
2004360213.tif 000028